(57)【特許請求の範囲】
【請求項１】
建造物を構成する各種の構成物を解体した後の複数の解体物を管理する解体物管理システムにおいて、
前記建造物が、原子力関連施設であり、前記解体物管理システムが、連続する番号を表す印刷可能な複数の識別コードが表示された連番テープと、前記連番テープに表示された識別コードを読み取る識別コードリーダと、前記識別コードリーダから前記識別コードの番号が転送されるコンピュータとを利用し、前記原子力関連施設を構成する構成物を解体する前の解体前管理と、前記構成物を解体した後の解体後管理とを実行し、
前記解体前管理では、前記複数の識別コードが表示された連番テープが前記原子力関連施設を構成する解体前の構成物に貼付され、解体前の前記構成物に貼付された前記連番テープの識別コードが表す連続する番号のうちの先頭番号と最後尾番号とが前記識別コードリーダによって読み取られ、前記コンピュータが各構成物を特定する構成物特定識別子と前記先頭番号から前記最後尾番号までの連続する番号とを関連付けて格納する構成物格納手段を実行し、
前記解体後管理では、前記原子力関連施設を構成する構成物が前記連番テープの少なくとも１つの識別コードが読み取り可能に残存する複数個の解体物に解体され、前記構成物を複数個の解体物に解体した後、それら解体物に貼付された前記連番テープの識別コードが前記識別コードリーダによって読み取られ、前記コンピュータがそれら解体物に貼付された前記連番テープの識別コードが表す番号に対応する構成物特定識別子からそれら解体物が属する構成物を特定する構成物特定手段を実行することを特徴とする解体物管理システム。
【請求項２】
前記コンピュータには、それら構成物の各種の属性が前記構成物特定識別子に関連付けられた状態で格納され、前記解体後管理では、前記解体物が属する構成物の属性が出力される請求項１に記載の解体物管理システム。
【請求項３】
前記解体物管理システムでは、各種複数の色によって区別された複数種類の前記連番テープが利用され、前記構成物の属性が前記連番テープの色によって認識可能である請求項１または請求項２に記載の解体物管理システム。
【請求項４】
前記解体物管理システムでは、色彩の濃淡によって区別された複数種類の前記連番テープが利用され、前記構成物の属性が前記連番テープの色彩の濃淡によって認識可能である請求項１ないし請求項３いずれかに記載の解体物管理システム。
【請求項５】
前記解体物管理システムでは、各種複数の形によって区別された複数種類の前記連番テープが利用され、前記構成物の属性が前記連番テープの形によって認識可能である請求項１ないし請求項４いずれかに記載の解体物管理システム。
【請求項６】
前記解体物管理システムでは、各種複数の記号によって区別された複数種類の前記連番テープが利用され、前記構成物の属性が前記連番テープに表示された記号によって認識可能である請求項１ないし請求項５いずれかに記載の解体物管理システム。
【請求項７】
前記構成物の属性が、前記原子力関連施設におけるそれら構成物の放射性物質による汚染レベルである請求項１ないし請求項６いずれかに記載の解体物管理システム。
【請求項８】
前記構成物の属性が、前記原子力関連施設におけるそれら構成物の危険性である請求項１ないし請求項７いずれかに記載の解体物管理システム。
【請求項９】
前記構成物の属性が、前記原子力関連施設におけるそれら構成物の材質である請求項１ないし請求項８いずれかに記載の解体物管理システム。
【請求項１０】
前記構成物の属性が、前記原子力関連施設におけるそれら構成物の特定情報および解体日時である請求項１ないし請求項９いずれかに記載の解体物管理システム。
【請求項１１】
前記識別コードが、バーコードであり、前記連結テープでは、前記バーコードが該連結テープの長さ方向へ等間隔離間した状態で連続して一列に並んでいる請求項１ないし請求項１０いずれかに記載の解体物管理システム。
【発明の詳細な説明】
【技術分野】
【０００１】
本発明は、建造物を構成する各種の構成物を解体した後の複数の解体物を管理する解体物管理システムに関する。
【背景技術】
【０００２】
建築物の部屋を形成する表層部材で覆われてその表層部材の内部に配置された再利用可能な内部部材を損傷させることなく、建築物を解体する解体方法がある（特許文献１参照）。この解体方法では、内部部材の情報を記憶したＲＦＩＤをあらかじめ内部部材に取り付け、解体前に表層部材の表面を探知装置を利用して走査し、ＲＦＩＤに記憶された情報を取得するとともに、ＲＦＩＤに記憶された情報に基づいて内部部材の種別および位置を特定する。
【０００３】
また、原子力設備の内壁面の放射性物質および塗膜を除去手段によって除去する工程と、放射性物質および塗膜が除去された原子力設備を所定の大きさの解体物に解体手段によって解体する工程と、解体された解体物を運搬用容器に収容して原子力施設からそれに隣接するタービン建屋に運搬する工程と、タービン建屋において運搬用容器に収容された解体物を細断手段によって所定の大きさに細断する工程と、細断された解体物を除染手段によって除染した後に容器に収容する工程とを有する原子力設備の解体工法がある（特許文献２参照）。
【先行技術文献】
【特許文献】
【０００４】
【特許文献１】特開２００８−２５５６８０号公報
【特許文献２】特開２０１０−８０９１号公報
【発明の概要】
【発明が解決しようとする課題】
【０００５】
前記特許文献１に開示の建築物の解体方法は、ＩＣチップを有するＲＦＩＤを利用して内部部材の情報をそのＲＦＩＤに格納し、そのＲＦＩＤを内部部材に取り付け、解体前に探知装置を利用して再利用可能な内部部材の種別と位置とを判定することで、表層部材に隠れた再利用可能な内部部材を確認することができる。しかし、建築物を解体した後の複数の解体物について、それらが属する建築物を解体後に特定することができず、建築物の解体後にそれら解体物が属していた建築物を追跡することができない。
【０００６】
また、前記特許文献２に開示の建築物の解体工法は、解体された原子力設備の複数の解体物の放射性物質の汚染レベルや危険性、材質、特定情報、解体日時等の属性を解体後に特定することができず、原子力設備を解体した後に複数の解体物において、それらが属していた原子力設備を特定することができないのみならず、それら解体物の属性を各解体物毎に把握することができず、それら解体物をその属性に基づいて管理することができない。特に、原子力設備における解体作業では、放射能汚染を厳格に防ぐ目的から、解体物が属する解体前の構成物を解体後に追跡かつ把握可能であることが要求されるとともに、解体物の属性が解体後に追跡かつ把握可能であることが要求され、解体物の属性毎の管理が要求される。しかし、前記特許文献２に開示の解体工法は、原子力施設の解体に要求されるそのような条件を満足させることができない。
【０００７】
本発明の目的は、解体した後の解体物が属する構成物を解体後に特定することができ、構成物の解体後にそれら解体物が属していた構成物を追跡かつ把握することができる解体物管理システムを提供することにある。本発明の他の目的は、原子力関連施設を解体した解体物が属する構成物の属性を解体後に追跡かつ把握することができ、原子力関連施設を解体した解体物を属性毎に管理することができる解体物管理システムを提供することにある。
【課題を解決するための手段】
【０００８】
前記課題を解決するための本発明の前提は、建造物を構成する各種の構成物を解体した後の複数の解体物を管理する解体物管理システムである。
【０００９】
前記前提における本発明の特徴としては、建造物が、原子力関連施設であり、解体物管理システムが、連続する番号を表す印刷可能な複数の識別コードが表示された連番テープと、連番テープに表示された識別コードを読み取る識別コードリーダと、識別コードリーダから識別コードの番号が転送されるコンピュータとを利用し、原子力関連施設を構成する構成物を解体する前の解体前管理と、構成物を解体した後の解体後管理とを実行し、解体前管理では、複数の識別コードが表示された連番テープが原子力関連施設を構成する解体前の構成物に貼付され、解体前の構成物に貼付された連番テープの識別コードが表す連続する番号のうちの先頭番号と最後尾番号とが識別コードリーダによって読み取られ、コンピュータが各構成物を特定する構成物特定識別子と先頭番号から最後尾番号までの連続する番号とを関連付けて格納する構成物格納手段を実行し、解体後管理では、原子力関連施設を構成する構成物が連番テープの少なくとも１つの識別コードが読み取り可能に残存する複数個の解体物に解体され、構成物を複数個の解体物に解体した後、それら解体物に貼付された連番テープの識別コードが識別コードリーダによって読み取られ、コンピュータがそれら解体物に貼付された連番テープの識別コードが表す番号に対応する構成物特定識別子からそれら解体物が属する構成物を特定する構成物特定手段を実行することにある。
【００１０】
本発明の他の一例として、コンピュータには、それら構成物の各種の属性が構成物特定識別子に関連付けられた状態で格納され、解体後管理では、解体物が属する構成物の属性が出力される。
【００１１】
本発明の他の一例として、解体物管理システムでは、各種複数の色によって区別された複数種類の連番テープが利用され、構成物の属性が連番テープの色によって認識可能である。
【００１２】
本発明の他の一例として、解体物管理システムでは、各種複数の形によって区別された複数種類の連番テープが利用され、構成物の属性が連番テープの形によって認識可能である。
【００１３】
本発明の他の一例として、解体物管理システムでは、各種複数の記号によって区別された複数種類の連番テープが利用され、構成物の属性が連番テープに表示された記号によって認識可能である。
【００１４】
本発明の他の一例としては、構成物の属性が原子力関連施設におけるそれら構成物の放射性物質による汚染レベルである。
【００１５】
本発明の他の一例としては、構成物の属性が原子力関連施設におけるそれら構成物の危険性である。
【００１６】
本発明の他の一例としては、構成物の属性が原子力関連施設におけるそれら構成物の材質である。
【００１７】
本発明の他の一例としては、構成物の属性が原子力関連施設におけるそれら構成物の特定情報および解体日時である。
【００１８】
本発明の他の一例としては、識別コードがバーコードであり、連結テープでは、バーコードが連結テープの長さ方向へ等間隔離間した状態で連続して一列に並んでいる。
【発明の効果】
【００１９】
本発明にかかる解体物管理システムによれば、解体前管理において、連番テープが構成物に貼付され、原子力関連施設を構成する構成物に貼付された連番テープの識別コードが表す連続する番号のうちの先頭番号と最後尾番号とが識別コードリーダによって読み取られ、コンピュータが各構成物を特定する構成物特定識別子と先頭番号から最後尾番号までの連続する番号とを関連付けて格納し、解体後管理において、原子力関連施設を構成する構成物が連番テープの少なくとも１つの識別コードが読み取り可能に残存する複数個の解体物に解体され、構成物を解体した後の複数個の解体物に残存する連番テープの識別コードが識別コードリーダによって読み取られ、コンピュータがそれら解体物に貼付された連番テープの識別コードが表す番号に対応する構成物特定識別子からそれら解体物が属する構成物を特定するから、連番テープに表示された識別コードを利用することで、複数個の解体物が属する原子力関連施設を構成する構成物を各解体物毎に特定することができ、構成物の解体後にそれら解体物が属していた原子力関連施設の構成物を追跡かつ把握することができる。解体物管理システムは、原子力関連施設を構成する構成物が細かく解体されて複数個の解体物が発生したとしても、それら解体物に貼付された連番テープの識別コードを介してそれら解体物の解体前の構成物を確実に特定することができるから、ある原子力関連施設の構成物を解体した解体物がその原子力関連施設の構成物の解体物群からはぐれたり、ある原子力関連施設の構成物を解体した解体物が他の原子力関連施設の構成物の解体物として紛れ込んだとしても、その解体物の解体前の構成物を明らかにすることができ、解体物の帰属不明を防ぐことができる。原子力関連施設における解体作業では、放射能汚染を厳格に防ぐ目的から、複数の解体物が属する構成物の属性が解体後に追跡可能かつ把握可能であることが要求され、解体後のそれら解体物の属性毎の管理が要求されるが、この解体物管理システムは、原子力関連施設の解体に要求されるそのような条件を満足させることができる。
【００２０】
解体物管理システムは、少なくとも１つの識別コードが解体物に貼付された連番テープに読み取り可能に残存し、少なくとも１つの読み取り可能な識別コードが解体物に残存していることで、その識別コードから解体物が属する構成物を特定することができ、構成物の解体後に各解体物が属していた構成物を確実に追跡かつ把握することができる。
【００２１】
構成物の属性が構成物特定識別子に関連付けられた状態でコンピュータに格納され、解体後管理において解体物が属する構成物の属性が出力される体物管理システムは、解体物が属する構成物を解体後に追跡かつ把握することができる他、構成物の解体後にであっても、解体物が属するその構成物の属性を各解体物毎に把握することができるから、解体物を各構成物毎であって属性毎に区分して管理することができる。
【００２２】
各種複数の色によって区分された複数種類の連番テープを利用し、構成物の属性がテープの色によって認識可能な解体物管理システムは、解体物が属する構成物を解体後に追跡かつ把握することができる他、構成物の解体後にであっても、連番テープの色によって解体物が属する構成物の属性を各解体物毎に把握することができるから、テープを利用することで、解体物を構成物毎であって属性毎に区分して管理することができる。
【００２３】
色彩の濃淡によって区別された複数種類の連番テープが利用され、構成物の属性がテープの色彩の濃淡によって認識可能な解体物管理システムは、解体物が属する構成物を解体後に追跡かつ把握することができる他、構成物の解体後にであっても、連番テープの色彩の濃淡によって解体物が属する構成物の属性を各解体物毎に把握することができるから、テープを利用することで、解体物を構成物毎であって属性毎に区分して管理することができる。
【００２４】
各種複数の形によって区別された複数種類の連番テープを利用し、構成物の属性がテープの形によって認識可能な解体物管理システムは、解体物が属する構成物を解体後に追跡かつ把握することができる他、構成物の解体後にであっても、連番テープの形によって解体物が属する構成物の属性を各解体物毎に把握することができるから、テープを利用することで、解体物を構成物毎であって属性毎に区分して管理することができる。
【００２５】
各種複数の記号によって区別された複数種類の連番テープを利用し、構成物の属性がテープに表示された記号によって認識可能な解体物管理システムは、解体物が属する構成物を解体後に追跡かつ把握することができる他、構成物の解体後にであっても、連番テープに表示された記号によって解体物が属する構成物の属性を各解体物毎に把握することができるから、テープを利用することで、解体物を構成物毎であって属性毎に区分して管理することができる。
【００２６】
構成物の属性が原子力関連施設におけるそれら構成物の放射性物質による汚染レベルである解体物管理システムは、連番テープに表示された識別コードを利用することで、解体物が属する構成物を解体後に追跡かつ把握することができる他、各解体物の放射性物質の汚染レベルを各解体物毎に管理することができ、解体物を介した放射能汚染を未然に防ぐことができる。解体物管理システムは、連番テープの色や濃淡、形、記号を利用することで、構成物の放射性物質による汚染レベルを各解体物毎に把握することができ、各解体物をそれらの汚染レベルに基づいて管理することができる。
【００２７】
構成物の属性が原子力関連施設におけるそれら構成物の危険性である解体物管理システムは、連番テープに表示された識別コードを利用することで、解体物が属する構成物を解体後に追跡かつ把握することができる他、各解体物が属する構成物の危険性を各解体物毎に管理することができ、解体物が属する構成物の危険性の不明を未然に防ぐことができる。解体物管理システムは、連番テープの色や濃淡、形、記号を利用することで、各解体物が属する構成物の危険性を各解体物毎に把握することができ、各解体物をそれらが属する構成物の危険性の高低に基づいて管理することができる。
【００２８】
構成物の属性が原子力関連施設におけるそれら構成物の材質である解体物管理システムは、連番テープに表示された識別コードを利用することで、解体物が属する構成物を解体後に追跡かつ把握することができる他、各解体物が属する構成物の材質を各解体物毎に管理することができ、解体物が属する構成物の材質の不明を未然に防ぐことができる。解体物管理システムは、連番テープの色や濃淡、形、記号を利用することで、各解体物が属する構成物の材質を各解体物毎に把握することができ、各解体物をそれらが属する構成物の材質に基づいて管理することができる。
【００２９】
構成物の属性が原子力関連施設におけるそれら構成物の特定情報および解体日時である解体物管理システムは、連番テープに表示された識別コードを利用することで、解体物が属する構成物を解体後に追跡かつ把握することができる他、各解体物が属する構成物の特定情報および解体日時を各解体物毎に管理することができ、解体物が属する構成物の特定情報および解体日時の不明を未然に防ぐことができる。
【図面の簡単な説明】
【００３０】
【図１】一例として示す解体物管理システムの概略構成図。
【図２】連番テープの一例を示す図。
【図３】連番テープが貼付された鉄筋鉄骨コンクリート建築物の壁の斜視図。
【図４】連番テープが貼付された鉄筋鉄骨コンクリート建築物の柱の斜視図。
【図５】壁の解体作業の一例を示す図。
【図６】柱の解体作業の一例を示す図。
【図７】壁を解体した後の解体物を示す図。
【図８】柱を解体した後の解体物を示す図。
【図９】原子力発電所の一例を示す図。
【図１０】原子力発電所の解体に利用される連番テープの一例を示す図。
【図１１】連番テープの他の一例を示す図。
【図１２】連番テープの他の一例を示す図。
【図１３】図１０に示す連番テープが貼付された壁の斜視図。
【図１４】各壁の解体作業の一例を示す図。
【図１５】各壁を解体した後の解体物を示す図。
【図１６】図１１に示す連番テープが貼付された柱の斜視図。
【図１７】各柱の解体作業の一例を示す図。
【図１８】各柱を解体した後の解体物を示す図。
【図１９】図１２に示す連番テープが貼付された床スラブの斜視図。
【図２０】各床スラブの解体作業の一例を示す図。
【図２１】各床スラブを解体した後の解体物を示す図。
【発明を実施するための形態】
【００３１】
一例として示す解体物管理システムの概略構成図である図１等の添付の図面を参照し、本発明にかかる解体物管理システムの詳細を説明すると、以下のとおりである。なお、図２は、連番テープ１１の一例を示す図である。解体物管理システム１０は、連番テープ１１とバーコードリーダ１２（識別コードリーダ）とコンピュータ１３とから形成されている。解体物管理システム１０は、連番テープ１１やバーコードリーダ１２、コンピュータ１３を利用し、建造物を構成する各種の構成物の解体前管理を実行するとともに、構成物を解体した後の解体後管理を実行する。
【００３２】
解体用の連番テープ１１は、図１に示すように、その平面形状が細長い帯であり、その帯を巻き取った巻物状に加工されている。連番テープ１１の表面には、連続する無制限の番号（たとえば、１，２，３・・・ｎの連続番号があるが、偶数２，４，６・・・ｎの連続番号や奇数１，３，５・・・ｎの連続番号等であってもよい）を表す複数のバーコード１４（識別コード）が表示（印刷）されている。それらバーコード１４は、連結テープ１１の長さ方向（一方向）へ等間隔離間した状態で連続して一列に並んでいる。連番テープ１１は、合成樹脂シートまたは紙シート若しくは合成樹脂シートと紙シートとの複合シートから作られ、その裏面に粘着材（図示せず）が塗布されている。なお、その粘着材が剥離紙（図示せず）によって被覆・保護されていてもよい。
【００３３】
図２には、バーコードとして、一次元バーコード１４を図示しているが、一次元バーコード１４の他に、ＱＲコード（登録商標）やベリコード、マキシコード等のマトリックス式の二次元バーコードを使用することもでき、Ｃｏｄｅ４９やＣｏｄｅ１６Ｋ、Ｃｏｄａｂｌｏｃｋ、ＳｕｐｅｒＣｏｄｅ等のスタック式の二次元バーコードを使用することもできる。また、カメレオンコードを使用することもできる。なお、バーコードの他に、デジタルマーク（識別コード）やカラーマーク（識別コード）を使用することもできる。デジタルマークを使用する場合は、バーコードリーダ１２に代えて、デジタルマークを読み取るデジタルマークリーダを使用し、カラーマークを使用する場合は、バーコードリーダ１２に代えて、カラーマークを読み取るカラーマークリーダを使用する。
【００３４】
バーコードリーダ１２は、インターフェイス（有線または無線）を介してコンピュータ１３に接続されている。図１には３台のバーコードリーダ１２が図示されているが、バーコードリーダ１２の台数に特に限定はなく、バーコードリーダ１２が１台または４台以上であってもよい。なお、各バーコードリーダ１２には、プライベートＩＰアドレスやＭＡＣアドレスが設定されており、それらアドレス情報に基づいて各バーコードリーダ１２を個別に特定することができる。
【００３５】
バーコードリーダ１２は、連番テープ１１に表示されたバーコード１４を読み取り、読み取ったバーコード１４が表すデータをデジタル信号としてコンピュータ１３に転送する。なお、図示はしていないが、各バーコードリーダ１２には、テンキーユニットやディスプレイが附属している。テンキーユニットを利用し、バーコードリーダ１２からコンピュータ１３に必要なデータを送信することができ、ディスプレイを利用し、バーコードリーダ１２からコンピュータ１３に送信するデータを表示、確認することができるとともに、コンピュータ１３からのメッセージを表示、確認することができる。
【００３６】
コンピュータ１３は、中央処理部（ＣＰＵまたはＭＰＵ）とメモリ（記憶部）とを有し、大容量ハードディスクを内蔵している。図１には３台のコンピュータ１３（携帯用ノート型コンピュータ）が図示されているが、コンピュータ１３の台数に特に限定はなく、コンピュータ１３が１台または４台以上であってもよい。解体前管理において各コンピュータ１３の１台に各バーコードリーダ１２の１台以上を接続してバーコード１４の読み取り作業やデータの格納作業が行われる。なお、コンピュータ１３には、プライベートＩＰアドレスやＭＡＣアドレスが設定されており、それらアドレス情報に基づいて各コンピュータ１３を個別に特定することができる。コンピュータ１３には、通信ポートが内蔵され、キーボード１５やマウス１６等の入力装置、ディスプレイ１７やプリンタ（図示せず）等の出力装置がインターフェイスを介して接続されている。
【００３７】
コンピュータ１３は、ホスト名とそのホスト名に割り当てるＩＰアドレスとの対応付けを設定するＤＮＳサーバ機能、ホームページを公開するために必要なＷｅｂサーバ機能、他のコンピュータや他のサーバからの要求を受け付けて各種情報を読み書きする機能を提供するデータベースサーバ機能、電子メールの送受信用のメールサーバ機能、作成された文章や画像等のデータをすべて保存してそれらのデータを検索可能にするドキュメントサーバ機能等を有する。各コンピュータ１３は、インターネットに接続可能であり、ネットワーク間において各種データを送受信可能である。ネットワーク内では、コンピュータ１３どうしで各種データを送受信可能である。
【００３８】
コンピュータ１３には、バーコードリーダ１２のアドレス情報やバーコードリーダ１２が読み取ったバーコード１４が表すデータがデジタルデータとして入力される。コンピュータ１３のメモリには、解体物管理アプリケーションが格納されている。コンピュータ１３の中央処理部は、オペレーティングシステムによる制御に基づいて、メモリに格納された解体物管理アプリケーションを起動し、そのアプリケーションに従って後記する各手段を実行する。
【００３９】
図３は、連番テープ１１が貼付された鉄筋鉄骨コンクリート建築物を構成する壁１８の斜視図であり、図４は、連番テープ１１が貼付された鉄筋鉄骨コンクリート建築物を構成する柱１９の斜視図である。図５は、壁１８の解体作業の一例を示す図であり、図６は、柱１９の解体作業の一例を示す図である。図３では、壁１８に連番テープ１１が貼付され、そのテープ１１のバーコード１４がバーコードリーダ１２によって読み取られている。図４では、柱１９に連番テープ１１が貼付され、そのテープ１１のバーコード１４がバーコードリーダ１２によって読み取られている。解体対象の建造物には、建築物や乗物等の人工的に作られたあらゆる物が含まれる。図３，４では、建造物の構成物として壁１８、柱１９を例示しているが、構成物をそれらに限定するものではなく、建造物を構成する他のあらゆる構成物が含まれる。
【００４０】
この解体管理システム１０を利用しつつ、鉄筋鉄骨コンクリート建築物（建造物）（図示せず）の壁１８（構成物）や柱１９（構成物）を解体する手順を説明すると、以下のとおりである。最初に、解体対象の建造物（鉄筋鉄骨コンクリート建築物）を構成物（壁１８、柱１９）毎に区分けする。建造物を構成物に区分けした後、その構成物に連番テープ１１を貼付する。具体的には、図３に示すように、壁１８の一面に連番テープ１１をランダムに貼付し、図４に示すように、柱１９の周面に連番テープ１１をランダムに貼付する。
【００４１】
連番テープ１１の壁１８や柱１９に対する貼付箇所や貼付長さに特に限定はなく、構成物や解体物の大きさ、解体数等を参酌し、壁１８や柱１９の任意の箇所に貼付するとともに、壁１８や柱１９に任意の長さを貼付することができる。また、壁１８や柱１９に貼付する連番テープ１１に表示されたバーコード１４の数に特に限定はなく、任意の数のバーコード１４を貼付することができる。
【００４２】
連番テープ１１を壁１８に貼付した後、図３に示すように、テープ１１に表示されたバーコード１４のうち、先頭に位置するバーコード１４をバーコードリーダ１２によって読み取るとともに、最後尾に位置するバーコード１４をバーコードリーダ１２によって読み取る。なお、先頭に位置するバーコード１４と最後尾に位置するバーコード１４との間に並ぶ中間のバーコード１４は読み取らない。
【００４３】
さらに、バーコードリーダ１２のテンキーユニットまたはコンピュータ１３のキーボード１５やマウス１６を利用し、鉄筋鉄骨コンクリート建築物（名称）を入力するとともに（ディスプレイ１７に表示された建造物表示のプルダウンリストから鉄筋鉄骨コンクリート建築物を選択することもできる）、壁（名称）を入力する（ディスプレイ１７に表示された構成物表示のプルダウンリストから壁を選択することもできる）。
【００４４】
バーコードリーダ１２のテンキーユニットまたはコンピュータ１３のキーボード１５やマウス１６を利用し、鉄筋鉄骨コンクリート建築物の特定情報（名称、住所、地図、写真、電話番号、ＵＲＬ等）、解体日時（年月日、時間）、用途、建物容積等の属性を入力するとともに（建造物属性入力）、壁１８の特定情報（１階ショールーム、２階事務室等）、解体日時（年月日、時間）、材質（木製、コンクリート製、モルタル製、金属製等）、強度等の属性を入力する（構成物属性入力）。なお、入力可能な建造物の属性に特に限定はなく、例示の属性に限らず、建造物の物性や性状等の他のあらゆる属性を入力することができる。また、入力可能な構成物の属性に特に限定はなく、例示の属性に限らず、構成物の物性や性状等の他のあらゆる属性を入力することができる。
【００４５】
バーコードリーダ１２は、読み取ったバーコード１４が表すデータ（先頭番号データ、最後尾番号データ）、鉄筋鉄骨コンクリート建築物を表す建造物データ、鉄筋鉄骨コンクリート建築物の建造物属性データ、壁１８を表す構成物データ、壁１８の構成物属性データをデジタルデータに変換し、それらデータをコンピュータ１３に転送する。コンピュータ１３の中央処理部は、バーコードリーダ１２からそれらデータを受け取ると、その鉄筋鉄骨コンクリート建築物（建造物）を特定する建造物特定識別番号（建造物特定識別子）を生成するとともに、その壁１８（構成物）を特定する構成物特定識別番号（構成物特定識別子）を生成する。
【００４６】
それら識別番号を生成した後、コンピュータ１３の中央処理部は、建造物特定識別番号に構成物特定識別番号を関連付けるとともに、バーコードリーダ１２から転送された先頭番号から最後尾番号までの番号データ（たとえば、先頭番号が０００１、最後尾番号が００２０の場合、０００１〜００２０までの番号）を建造物特定識別番号と構成物特定識別番号とに関連付ける。さらに、転送された建造物属性データを建造物特定識別番号と構成物特定識別番号とに関連付けるとともに、転送された構成物属性データを構成物特定識別番号に関連付ける。それらの関連づけが完了した後、中央処理部は、建造物特定識別番号、構成物特定識別番号、番号データ、建築物の建造物属性データ、壁１８の構成物属性データをハードディスクに格納する（構成物格納手段）。バーコードリーダ１２やコンピュータ１３のディスプレイ１７には、建築物→壁１８のデータ格納完了メッセージが表示される。
【００４７】
建築物→壁１８のデータ格納完了メッセージを確認した後、壁１８の解体作業を行う。解体作業では、図５に示すように、壁１８を細かく解体し、壁１８を複数個の解体物２０に分解する。解体された壁１８の解体物２０には連番テープ１１が残存しており、そのテープ１１に表示されたバーコード１４が１つの場合、２つの場合、３つの場合等がある。なお、壁１８のそれら解体物２０に貼付された連番テープ１１には、少なくとも１つのバーコード１４が読み取り可能に残存している必要がある。
【００４８】
連番テープ１１を柱１９に貼付した後、図４に示すように、テープ１１に表示されたバーコード１４のうち、先頭に位置するバーコード１４をバーコードリーダ１２によって読み取るとともに、最後尾に位置するバーコード１４をバーコードリーダ１２によって読み取る。さらに、バーコードリーダ１２のテンキーユニットまたはコンピュータ１３のキーボード１５やマウス１６を利用し、鉄筋鉄骨コンクリート建築物（名称）を入力するとともに、柱（名称）を入力する（ディスプレイ１７に表示された構成物表示のプルダウンリストから柱を選択することもできる）。
【００４９】
バーコードリーダ１２のテンキーユニットまたはコンピュータ１３のキーボード１５やマウス１６を利用し、鉄筋鉄骨コンクリート建築物の特定情報（名称、住所、地図、電話番号、ＵＲＬ等）、解体日時（年月日、時間）、用途、建物容積等の属性を入力するとともに（建造物属性入力）、柱１９の特定情報（３階作業室、４階会議室等）、解体日時（年月日、時間）、材質（木製、コンクリート製、モルタル製、金属製等）、強度を入力する（構成物属性入力）。
【００５０】
バーコードリーダ１２は、読み取ったバーコード１４が表すデータ（先頭番号データ、最後尾番号データ）、鉄筋鉄骨コンクリート建築物を表す建造物データ、鉄筋鉄骨コンクリート建築物の建造物属性データ、柱１９を表す構成物データ、柱１９の構成物属性データをデジタルデータに変換し、それらデータをコンピュータ１３に転送する。コンピュータ１３の中央処理部は、バーコードリーダ１２からそれらデータを受け取ると、その柱１９（構成物）を特定する構成物特定識別番号（構成物特定識別子）を生成する。
【００５１】
構成物特定識別番号を生成した後、コンピュータ１３の中央処理部は、壁１８の解体において生成した建造物特定識別番号に構成物特定識別番号を関連付けるとともに、バーコードリーダ１２から転送された先頭番号から最後尾番号までの番号データ（たとえば、先頭番号が００５０、最後尾番号が００８０の場合、００５０〜００８０までの番号）を建造物特定識別番号と構成物特定識別番号とに関連付ける。さらに、転送された建造物属性データを建造物特定識別番号と構成物特定識別番号とに関連付けるとともに、転送された構成物属性データを構成物特定識別番号に関連付ける。それらの関連づけが完了した後、中央処理部は、建造物特定識別番号、構成物特定識別番号、番号データ、建築物の建造物属性データ、柱１９の構成物属性データをハードディスクに格納する（構成物格納手段）。バーコードリーダ１２やコンピュータ１３のディスプレイ１７には、建築物→柱１９のデータ格納完了メッセージが表示される。
【００５２】
建築物→柱１９のデータ格納完了メッセージを確認した後、柱１９の解体作業を行う。解体作業では、図６に示すように、柱１９を細かく解体し、柱１９を複数個の解体物２１に分解する。解体された柱１９の解体物２１には連番テープ１１が残存しており、そのテープ１１に表示されたバーコード１４が１つの場合、２つの場合、３つの場合等がある。なお、柱１９のそれら解体物２１に貼付された連番テープ１１には、少なくとも１つのバーコード１４が読み取り可能に残存している必要がある。
【００５３】
図７は、壁１８を解体した後の解体物２０を示す図であり、図８は、壁１９を解体した後の解体物２１を示す図である。図７では、壁１８の解体物２０を１つだけ示し、他の解体物の図示を省略している。図８では、柱１９の解体物２１を１つだけ示し、他の解体物の図示を省略している。図７，８では、それら解体物２０，２１に貼付された連番テープ１１のバーコード１４がバーコードリーダ１２によって読み取られている。
【００５４】
壁１８を解体した解体物２０は、廃棄処分されるが、廃棄処分前や廃棄処分時、廃棄処分後に、バーコードリーダ１２を利用して解体物２０（壁１８の解体物２０）に貼付された連番テープ１１のバーコード１４を読み取ることで、その解体物２０が解体される以前の建造物（鉄筋鉄骨コンクリート建築物）および構成物（壁１８）、その鉄筋鉄骨コンクリート建築物およびその柱１８の各属性を確認することができる。
【００５５】
解体物２０の連番テープ１１のバーコード１４を読み取ると、そのバーコード１４が表す番号データがバーコードリーダ１２からコンピュータ１３に転送される。コンピュータ１３は、バーコードリーダ１２から転送された番号データ（たとえば、０００５）とハードディスクに格納された番号データ（０００１〜００２０）とを比較し、解体物２０が壁１８の解体物２０であると判断する（構成物特定手段）。
【００５６】
コンピュータ１３は、壁１８の構成物特定識別番号に対応する建造物特定識別番号を特定し、その建造物特定識別番号に対応する鉄筋鉄骨コンクリート建築物を特定する。さらに、建造物特定識別番号と構成物特定識別番号とに対応する建造物属性データを特定し、構成物特定識別番号に対応する構成物属性データを特定する。その壁１８が設置されていた鉄筋鉄骨コンクリート建築物の属性データ（特定情報、解体日時、用途、建物容積時等）、その壁１８の属性データ（特定情報、解体日時、材質、容積、強度等）をハードディスクから取り出し、鉄筋鉄骨コンクリート建築物・壁１８をディスプレイ１７に表示するとともに、それら属性データや番号データをディスプレイ１７に表示する。ディスプレイ１７に表示された各データは、プリンタから出力することができる。
【００５７】
柱１９を解体した解体物２１は、廃棄処分されるが、廃棄処分前や廃棄処分時、廃棄処分後に、バーコードリーダ１２を利用して解体物２１（柱１９の解体物２１）に貼付された連番テープ１１のバーコード１４を読み取ることで、その解体物２１が解体される以前の建造物（鉄筋鉄骨コンクリート建築物）および構成物（柱１９）、その鉄筋鉄骨コンクリート建築物およびその柱１９の属性等を確認することができる。
【００５８】
解体物２１の連番テープ１１のバーコード１４を読み取ると、そのバーコード１４が表す番号データがバーコードリーダ１２からコンピュータ１３に転送される。コンピュータ１３は、バーコードリーダ１２から転送された番号データ（たとえば、００６５）とハードディスクに格納された番号データ（００５０〜００８０）とを比較し、解体物２１が柱１９の解体物２１であると判断する（構成物特定手段）。
【００５９】
コンピュータ１３は、柱１９の構成物特定識別番号に対応する建造物特定識別番号を特定し、その建造物特定識別番号に対応する鉄筋鉄骨コンクリート建築物を特定する。さらに、建造物特定識別番号と構成物特定識別番号とに対応する建造物属性データを特定し、構成物特定識別番号に対応する構成物属性データを特定する。その柱１９が設置されていた鉄筋鉄骨コンクリート建築物の属性データ（特定情報、解体日時、用途、建物容積等）、その柱１９の属性データ（特定情報、解体日時、材質、強度等）をハードディスクから取り出し、鉄筋鉄骨コンクリート建築物・柱１９をディスプレイ１７に表示するとともに、それら属性データや番号データをディスプレイ１７に表示する。ディスプレイ１７に表示された各データは、プリンタから出力することができる。
【００６０】
解体物管理システム１０は、解体前管理において、連番テープ１１が壁１８や柱１９（構成物）に貼付され、壁１８や柱１９に貼付されたテープ１１のバーコード１４が表す番号のうちの先頭番号と最後尾番号とがバーコードリーダ１２によって読み取られ、コンピュータ１３が壁１８や柱１９を特定する構成物特定識別番号と先頭番号から最後尾番号までの番号とを関連付けて格納し、解体後管理において、壁１８や柱１９を解体した後の複数の解体物２０，２１に貼付された連番テープ１１のバーコード１４がバーコードリーダ１２によって読み取られ、コンピュータ１３がそれら解体物２０，２１に貼付されたテープ１１のバーコード１４が表す番号に対応する構成物特定識別番号からそれら解体物２０，２１が属する壁１８や柱１９を特定するとともに、壁１８や柱１９が属する鉄筋鉄骨コンクリート建築物を特定するから、連番テープ１１に表示されたバーコード１４を利用することで、複数の解体物２０，２１が属する建造物や構成物を各解体物２０，２１毎に特定することができ、壁１８や柱１９の解体後にそれら解体物２０，２１が属していた建造物や構成物（壁１８や柱１９）を追跡かつ把握することができる。
【００６１】
解体物管理システム１０は、鉄筋鉄骨コンクリート建築物を構成する壁１８や柱１９が細かく解体されて複数の解体物２０，２１が発生したとしても、それら解体物２０，２１に貼付された連番テープ１１のバーコード１４を介してそれら解体物２０，２１の解体前の構成物（壁１８や柱１９）を各解体物２０，２１毎に確実に特定することができる。解体物管理システム１０は、連番テープ１１のバーコード１４を利用してそれら解体物２０，２１の解体前の構成物を特定することができるから、壁１８や柱１９を解体した解体物２０，２１がその構成物の解体物群からはぐれたり、壁１８や柱１９を解体した解体物２０，２１が他の構成物の解体物として紛れ込んだとしても、それら解体物２０，２１の解体前の構成物を明らかにすることができ、解体物２０，２１の帰属不明を防ぐことができる。
【００６２】
解体物管理システム１０は、鉄筋鉄骨コンクリート建築物の属性が建造物特定識別番号に関連付けられた状態でコンピュータ１３に格納され、壁１８や柱１９の属性が構成物特定識別番号に関連付けられた状態でコンピュータ１３に格納されているから、壁１８や柱１９の解体後であっても連番テープ１１のバーコード１４を利用して解体物２０，２１が属する建造物や構成物の属性を各解体物２０，２１毎に把握することができ、解体物２０，２１を各建造物毎であって属性毎に区分して管理することができるとともに、解体物２０，２１を各構成物毎であって属性毎に区分して管理することができる。
【００６３】
図９は、解体物管理システム１０を利用して解体される原子力発電所２２の一例を示す図である。連番テープ１１とバーコードリーダ１２とコンピュータ１３とから形成された図１に示す解体物管理システム１０は、原子力発電所２２（建造物）の解体に有効に利用することができる。なお、システム１０は、原子力発電所２２のみならず、他の原子力関連施設（建造物）の解体にも有効に利用することができる。他の原子力関連施設には、中間貯蔵施設、再処理工場、ＭＯＸ燃料工場、高速増殖炉、高速増殖炉用燃料工場、高速増殖炉用再処理工場、高レベル放射性廃棄物最終処分施設等がある。
【００６４】
原子力発電所２２は、中央制御室２３、タービン建屋２４、原子炉建屋２５から形成されている。原子力発電所２２の解体では、放射能漏れや放射能汚染を厳格に防ぐ目的から、その解体物が厳しく管理されるとともに、解体物が属する解体前の構成物を解体後に追跡かつ把握可能であることが要求される。さらに、解体物が属する構成物の属性が解体後に追跡かつ把握可能であることが要求され、解体物の属性毎の管理が要求される。
【００６５】
図１０は、原子力発電所２２の解体に利用される連番テープ１１（ａ）〜１１（ｂ）の一例を示す図であり、図１１は、連番テープ１１（ｄ）〜１１（ｆ）の他の一例を示す図である。図１２は、連番テープ１１（ｇ）〜１１（ｉ）の他の一例を示す図である。それら図に示す連番テープ１１（ａ）〜１１（ｉ）は、各種複数の色、色彩（有彩色および無彩色）の各種複数の濃淡、各種複数の形、各種複数の記号によって区分されている。それらテープ１１（ａ）〜１１（ｉ）は、その色が原子力発電所２２の構成物の各種の属性に対応し、その色彩の濃淡が構成物の各種の属性に対応するとともに、その形が構成物の各種の属性に対応し、その記号が構成物の各種の属性に対応している。
【００６６】
連番テープ１１（ａ）〜１１（ｉ）は、図示はしていないが、図１と同様に、その平面形状が細長い帯に成型され、その帯を巻き取った巻物状に加工されている。それらテープ１１（ａ）〜１１（ｉ）の表面には、連続する無制限の番号を表す複数のバーコード１４が表示（印刷）されている。テープ１１（ａ）〜１１（ｉ）は、合成樹脂シートまたは紙シート若しくは合成樹脂シートと紙シートとの複合シートから作られ、その裏面に粘着剤が塗布されている。
【００６７】
連番テープ１１（ａ）〜１１（ｉ）の色に対応する原子力発電所２２の構成物の属性には、構成物の放射性物質による汚染レベル、構成物の名称、構成物の材質、構成物の危険性等があるが、連番テープ１１（ａ）〜１１（ｉ）の色に対応する構成物の属性に特に限定はなく、属性を自由に設定することができる。テープ１１（ａ）〜１１（ｉ）の色にも特に限定はなく、目視可能かつ識別可能な全ての色が含まれる。
【００６８】
テープ１１（ａ）〜１１（ｉ）の色彩の濃淡に対応する構成物の属性には、構成物の放射性物質による汚染レベル、構成物の名称、構成物の材質、構成物の危険性等があるが、連番テープ１１（ａ）〜１１（ｉ）の色彩の濃淡に対応する構成物の属性に特に限定はなく、属性を自由に設定することができる。テープ１１（ａ）〜１１（ｉ）の色彩の濃淡にも特に限定はなく、テープ１１（ａ）〜１１（ｉ）の色彩の濃淡を自由に設定することができる。
【００６９】
テープ１１（ａ）〜１１（ｉ）の形に対応する構成物の属性には、構成物の放射性物質による汚染レベル、構成物の名称、構成物の材質、構成物の危険性等があるが、連番テープ１１（ａ）〜１１（ｉ）の形に対応する構成物の属性に特に限定はなく、属性を自由に設定することができる。テープ１１（ａ）〜１１（ｉ）の形にも特に限定はなく、テープ１１（ａ）〜１１（ｉ）の形を自由に設定することができる。
【００７０】
テープ１１（ａ）〜１１（ｉ）の記号に対応する構成物の属性には、構成物の放射性物質による汚染レベル、構成物の名称、構成物の材質、構成物の危険性等があるが、連番テープ１１（ａ）〜１１（ｉ）の形に対応する構成物の属性に特に限定はなく、属性を自由に設定することができる。テープ１１（ａ）〜１１（ｉ）の記号にも特に限定はなく、テープ１１（ａ）〜１１（ｉ）の記号を自由に設定することができる。
【００７１】
図１０に示す連番テープ１１（ａ）〜１１（ｃ）のうちの（ａ）のテープ１１（ａ）は、長さ方向へ円弧を画くように起伏する形であり、１番薄い青色に着色され、記号（Ａ）が表示されている。テープ１１（ａ）は、その一例として、中央制御室２３の構成物である壁２６の解体に利用され、壁２６の属性の一例として、名称（壁）（たとえば、テープの形が名称を表す。）、材質（遮蔽コンクリート）（たとえば、テープの色が材質を表す。）、放射性物質の汚染レベル（低）（たとえば、テープの色彩の濃淡が放射性物質の汚染レベルを表す。）、危険性（小）（たとえば、テープの記号が危険性を表す。）を表す。
【００７２】
図１０の（ａ）のテープ１１（ａ）に表示されたバーコード１４には、番号データを表すコードのみならず、テープ１１（ａ）の色を表すコード、テープ１１（ａ）の色彩の濃淡を表すコード、テープ１１（ａ）の形を表すコード、テープ１１（ａ）の記号を表すコードが含まれている（ただし、バーコード１４にそれらのコードが含まれていない場合もある。）。コンピュータ１３のハードディスクには、複数の原子力発電所の原子力発電所コードとそれらコードに対応する複数の建造物特定識別番号（建造物特定識別子）とが格納され、中央制御室コードやタービン建屋コード、原子炉建屋コード等とそれらコードに対応する複数の建造物特定識別番号（建造物特定識別子）とが格納されている。
【００７３】
コンピュータ１３のハードディスクには、テープ１１（ａ）の色を表すコードデータ、テープ１１（ａ）の色彩の濃淡を表すコードデータ、テープ１１（ａ）の形を表すコードデータ、テープ１１（ａ）の記号を表すコードデータ、中央制御室２３の壁２６の前記属性データ（名称（壁）、材質（遮蔽コンクリート）、放射性物質の汚染レベル（低）、危険性（小））が互いに関連付けられた状態で格納されている。
【００７４】
図１０に示す連番テープ１１（ａ）〜１１（ｃ）のうちの（ｂ）のテープ１１（ｂ）は、長さ方向へ円弧を画くように起伏する形であり、２番目に濃い青色に着色され、記号（Ｂ）が表示されている。テープ１１（ｂ）は、その一例として、タービン建屋２４の構成物である壁２７の解体に利用され、壁２７の属性の一例として、名称（壁）、材質（遮蔽コンクリート）、放射性物質の汚染レベル（中）、危険性（中）を表す。
【００７５】
図１０の（ｂ）のテープ１１（ｂ）に表示されたバーコード１４には、番号データを表すコードのみならず、テープ１１（ｂ）の色を表すコード、テープ１１（ｂ）の色彩の濃淡を表すコード、テープ１１（ｂ）の形を表すコード、テープ１１（ｂ）の記号を表すコードが含まれている（ただし、バーコード１４にそれらのコードが含まれていない場合もある。）。コンピュータ１３のハードディスクには、テープ１１（ｂ）の色を表すコードデータ、テープ１１（ｂ）の色彩の濃淡を表すコード、テープ１１（ｂ）の形を表すコードデータ、テープ１１（ｂ）の記号を表すコードデータ、タービン建屋２４の壁２７の前記属性データ（名称（壁）、材質（遮蔽コンクリート）、放射性物質の汚染レベル（中）、解体危険性（中））が互いに関連付けられた状態で格納されている。
【００７６】
図１０に示す連番テープ１１（ａ）〜１１（ｃ）のうちの（ｃ）のテープ１１（ｃ）は、長さ方向へ円弧を画くように起伏する形であり、１番濃い青色に着色され、記号（Ｃ）が表示されている。テープ１１（ｃ）は、その一例として、原子炉建屋２５の構成物である壁２８の解体に利用され、壁２８の属性の一例として、名称（壁）、材質（遮蔽コンクリート）、放射性物質の汚染レベル（高）、危険性（高）を表す。
【００７７】
図１０の（ｃ）のテープ１１（ｃ）に表示されたバーコード１４には、番号データを表すコードのみならず、テープ１１（ｃ）の色を表すコード、テープ１１（ｃ）の色彩の濃淡を表すコード、テープ１１（ｃ）の形を表すコード、テープ１１（ｃ）の記号を表すコードが含まれている（ただし、バーコード１４にそれらのコードが含まれていない場合もある。）。コンピュータ１３のハードディスクには、テープ１１（ｃ）の色を表すコードデータ、テープ１１（ｃ）の色彩の濃淡を表すコードデータ、テープ１１（ｃ）の形を表すコードデータ、テープ１１（ｃ）の記号を表すコードデータ、原子炉建屋２５の壁２８の前記属性データ（名称（壁）、材質（遮蔽コンクリート）、放射性物質の汚染レベル（高）、解体危険度（高））が互いに関連付けられた状態で格納されている。
【００７８】
図１１に示す連番テープ１１（ｄ）〜１１（ｆ）のうちの（ａ）のテープ１１（ｄ）は、長さ方向へ複数の三角形を画く形であり、１番薄い黄色に着色され、記号（Ａ）が表示されている。図１７の（ａ）のテープ１１（ｄ）は、その一例として、中央制御室２３の構成物である柱２９の解体に利用され、柱２９の属性の一例として、名称（柱）（たとえば、テープの形が名称を表す。）、材質（金属）（たとえば、テープの色が材質を表す。）、放射性物質の汚染レベル（低）（たとえば、テープの色彩の濃淡が放射性物質の汚染レベルを表す。）、危険性（小）（たとえば、テープの記号が危険性を表す。）を表す。
【００７９】
図１１の（ａ）のテープ１１（ｄ）に表示されたバーコード１４には、番号データを表すコードのみならず、テープ１１（ｄ）の色を表すコード、テープ１１（ｄ）の色彩の濃淡を表すコード、テープ１１（ｄ）の形を表すコード、テープ１１（ｄ）の記号を表すコードが含まれている（ただし、バーコード１４にそれらのコードが含まれていない場合もある。）。コンピュータ１３のハードディスクには、テープ１１（ｄ）の色を表すコードデータ、テープ１１（ｄ）の色彩の濃淡を表すコードデータ、テープ１１（ｄ）の形を表すコードデータ、テープ１１（ｄ）の記号を表すコードデータ、中央制御室２３の柱２９の前記属性データ（名称（柱）、材質（金属）、放射性物質の汚染レベル（低）、危険性（小））が互いに関連付けられた状態で格納されている。
【００８０】
図１１に示す連番テープ１１（ｄ）〜１１（ｆ）のうちの（ｂ）のテープ１１（ｅ）は、長さ方向へ複数の三角形を画く形であり、２番目に濃い黄色に着色され、記号（Ｂ）が表示されている。テープ１１（ｅ）は、その一例として、タービン建屋２４の構成物である柱３０の解体に利用され、柱３０の属性の一例として、名称（柱）、材質（金属）、放射性物質の汚染レベル（中）、危険性（中）を表す。
【００８１】
図１１の（ｂ）のテープ１１（ｅ）に表示されたバーコード１４には、番号データを表すコードのみならず、テープ１１（ｅ）の色を表すコード、テープ１１（ｅ）の色彩の濃淡を表すコード、テープ１１（ｅ）の形を表すコード、テープ１１（ｅ）の記号を表すコードが含まれている（ただし、バーコード１４にそれらのコードが含まれていない場合もある。）。コンピュータ１３のハードディスクには、テープ１１（ｅ）の色を表すコードデータ、テープ１１（ｅ）の色彩の濃淡を表すコードデータ、テープ１１（ｅ）の形を表すコードデータ、テープ１１（ｅ）の記号を表すコードデータ、タービン建屋２４の柱３０の前記属性データ（名称（柱）、材質（金属）、放射性物質の汚染レベル（中）、危険性（中））が互いに関連付けられた状態で格納されている。
【００８２】
図１１に示す連番テープ１１（ｄ）〜１１（ｆ）のうちの（ｃ）のテープ１１（ｆ）は、長さ方向へ複数の三角形を画く形であり、１番濃い黄色に着色され、記号（Ｃ）が表示されている。テープ１１（ｆ）は、その一例として、原子炉建屋２５の構成物である柱３１の解体に利用され、柱３１の属性の一例として、名称（柱）、材質（金属）、放射性物質の汚染レベル（高）、危険性（高）を表す。
【００８３】
図１１の（ｃ）のテープ１１（ｆ）に表示されたバーコード１４には、番号データを表すコードのみならず、テープ１１（ｆ）の色を表すコード、テープ１１（ｆ）の色彩の濃淡を表すコード、テープ１１（ｆ）の形を表すコード、テープ１１（ｆ）の記号を表すコードが含まれている（ただし、バーコード１４にそれらのコードが含まれていない場合もある。）。コンピュータ１３のハードディスクには、テープ１１（ｆ）の色を表すコードデータ、テープ１１（ｆ）の色彩の濃淡を表すコードデータ、テープ１１（ｆ）の形を表すコードデータ、テープ１１（ｆ）の記号を表すコードデータ、原子炉建屋２５の柱３１の前記属性データ（名称（柱）、材質（金属）、放射性物質の汚染レベル（高）、危険性（高））が互いに関連付けられた状態で格納されている。
【００８４】
図１２に示す連番テープ１１（ｇ）〜１１（ｉ）のうちの（ａ）のテープ１１（ｇ）は、長さ方向へ複数の四角形を画く形であり、１番薄い赤色に着色され、記号（Ａ）が表示されている。図１２の（ａ）のテープ１１（ｇ）は、その一例として、中央制御室２３の構成物である床スラブ３２の解体に利用され、床スラブ３２の属性の一例として、名称（床スラブ）（たとえば、テープの形が名称を表す。）、材質（高強度鉄筋鉄骨コンクリート）（たとえば、テープの色が材質を表す。）、放射性物質の汚染レベル（低）（たとえば、テープの色彩の濃淡が放射性物質の汚染レベルを表す。）、危険性（小）（たとえば、テープの記号が危険性を表す。）を表す。
【００８５】
図１２の（ａ）のテープ１１（ｇ）に表示されたバーコード１４には、番号データを表すコードのみならず、テープ１１（ｇ）の色を表すコード、テープ１１（ｇ）の色彩の濃淡を表すコード、テープ１１（ｇ）の形を表すコード、テープ１１（ｇ）の記号を表すコードが含まれている（ただし、バーコード１４にそれらのコードが含まれていない場合もある。）。コンピュータ１３のハードディスクには、テープ１１（ｇ）の色を表すコードデータ、テープ１１（ｇ）の色彩の濃淡を表すコードデータ、テープ１１（ｇ）の形を表すコードデータ、テープ１１（ｇ）の記号を表すコードデータ、中央制御室２３の床スラブ３２の前記属性データ（名称、材質（高強度鉄筋鉄骨コンクリート）、放射性物質の汚染レベル（低）、危険性（小））が互いに関連付けられた状態で格納されている。
【００８６】
図１２に示す連番テープ１１（ｇ）〜１１（ｉ）のうちの（ｂ）のテープ１１（ｈ）は、長さ方向へ複数の四角形を画く形であり、２番目に濃い赤色に着色され、記号（Ｂ）が表示されている。テープ１１（ｈ）は、その一例として、タービン建屋２４の構成物である床スラブ３３の解体に利用され、床スラブ３３の属性の一例として、名称（床スラブ）、材質（高強度鉄筋鉄骨コンクリート）、放射性物質の汚染レベル（中）、危険性（中）を表す。
【００８７】
図１２の（ｂ）のテープ１１（ｈ）に表示されたバーコード１４には、番号データを表すコードのみならず、テープ１１（ｈ）の色を表すコード、テープ１１（ｈ）の色彩の濃淡を表すコード、テープ１１（ｈ）の形を表すコード、テープ１１（ｈ）の記号を表すコードが含まれている（ただし、バーコード１４にそれらのコードが含まれていない場合もある。）。コンピュータ１３のハードディスクには、テープ１１（ｈ）の色を表すコードデータ、テープ１１（ｈ）の色彩の濃淡を表すコードデータ、テープ１１（ｈ）の形を表すコードデータ、テープ１１（ｈ）の記号を表すコードデータ、タービン建屋２４の床スラブ３３の前記属性データ（名称、材質（高強度鉄筋鉄骨コンクリート）、放射性物質の汚染レベル（中）、危険性（中））が互いに関連付けられた状態で格納されている。
【００８８】
図１２に示す連番テープ１１（ｇ）〜１１（ｉ）のうちの（ｃ）のテープ１１（ｉ）は、長さ方向へ複数の四角形を画く形であり、１番濃い赤色に着色され、記号（Ｃ）が表示されている。テープ１１（ｉ）は、その一例として、原子炉建屋２５の構成物である床スラブ３４の解体に利用され、床スラブ３４の属性の一例として、名称（床スラブ）、材質（高強度鉄筋鉄骨コンクリート）、放射性物質の汚染レベル（高）、危険性（高）を表す。
【００８９】
図１２の（ｃ）のテープ１１（ｉ）に表示されたバーコード１４には、番号データを表すコードのみならず、テープ１１（ｉ）の色を表すコード、テープ１１（ｉ）の色彩の濃淡を表すコード、テープ１１（ｉ）の形を表すコード、テープ１１（ｉ）の記号を表すコードが含まれている（ただし、バーコード１４にそれらのコードが含まれていない場合もある。）。コンピュータ１３のハードディスクには、テープ１１（ｉ）の色を表すコードデータ、テープ１１（ｉ）の色彩の濃淡を表すコードデータ、テープ１１（ｈ）の形を表すコードデータ、テープ１１（ｈ）の記号を表すコードデータ、原子炉建屋２５の床スラブ３４の前記属性データ（名称（床スラブ）、材質（高強度鉄筋鉄骨コンクリート）、放射性物質の汚染レベル（高）、危険性（高））が互いに関連付けられた状態で格納されている。
【００９０】
図１３は、図１０に示す連番テープ１１（ａ）〜１１（ｃ）が貼付された壁２６〜２８の斜視図であり、図１４は、各壁２６〜２８の解体作業の一例を示す図である。図１５は、各壁２６〜２８を解体した後の解体物３５〜３７を示す図である。図１３では、中央制御室２３、タービン建屋２４、原子炉建屋２５の各壁２６〜２８にテープ１１（ａ）〜１１（ｃ）が貼付され、それら連番テープ１１（ａ）〜１１（ｃ）のバーコード１４がバーコードリーダ１２によって読み取られている。図１５では、それら壁２６〜２８の解体物３５〜３７を１つだけ示し、それら解体物３５〜３７に貼付された連番テープ１１（ａ）〜１１（ｃ）のバーコード１４がバーコードリーダ１２によって読み取られている。図１３〜図１５に基づいて壁２６〜２８の解体を説明すると、以下のとおりである。
【００９１】
解体対象の原子力発電所２２（建造物）の中央制御室２３、タービン建屋２４、原子炉建屋２５（建造物）を構成物（壁、柱、床スラブ）毎に区分けした後、それら壁２６〜２８に連番テープ１１（ａ）〜１１（ｃ）を貼付する。具体的には、図１３（ａ）に示すように、図１０の（ａ）のテープ１１（ａ）を中央制御室２３の壁２６の一面にランダムに貼付し、図１３（ｂ）に示すように、図１０の（ｂ）のテープ１１（ｂ）をタービン建屋２４の壁２７の一面にランダムに貼付するとともに、図１３（ｃ）に示すように、図１０の（ｃ）のテープ１１（ｃ）を原子炉建屋２５の壁２８の一面にランダムに貼付する。
【００９２】
それら連番テープ１１（ａ）〜１１（ｃ）を各壁２６〜２８に貼付した後、テープ１１（ａ）〜１１（ｃ）に表示されたバーコード１４のうち、先頭に位置するバーコード１４をバーコードリーダ１２によって読み取るとともに、最後尾に位置するバーコード１４をバーコードリーダ１２によって読み取る。なお、先頭に位置するバーコード１４と最後尾に位置するバーコード１４との間に並ぶ中間のバーコード１４は読み取らない。
【００９３】
さらに、バーコードリーダ１２のテンキーユニットまたはコンピュータ１３のキーボード１５やマウス１６を利用し、原子力発電所２２の名称を入力し（ディスプレイ１７に表示された複数の原子力発電所のプルダウンリストから発電所名を選択することもできる。）、中央制御室、タービン建屋、原子炉建屋（名称）のいずれかを入力するとともに（ディスプレイ１７に表示された原子力発電所建造物のプルダウンリストからそれらを選択することもできる。）、壁（名称）を入力する（ディスプレイ１７に表示された構成物表示のプルダウンリストから壁を選択することもできる）。
【００９４】
バーコードリーダ１２のテンキーユニットまたはコンピュータ１３のキーボード１５やマウス１６を利用し、原子力発電所２２の特定情報（名称、住所、地図、写真、電話番号、ＵＲＬ等）、中央制御室２３やタービン建屋２４、原子炉建屋２５の特定情報（名称、住所、地図、写真等）、解体日時（年月日、時間）、用途、建物容積等を入力するとともに（建造物属性入力）、壁の特定情報（中央制御室２３の１階、タービン建屋２４の入口等）、解体日時（年月日、時間）、強度等を入力する（構成物属性入力）。なお、入力可能な原子力発電所２２や中央制御室２３、タービン建屋２４、原子炉建屋２５の属性に特に限定はなく、例示の属性に限らず、他のあらゆる属性を入力することができる。また、入力可能な壁２６〜２８の属性に特に限定はなく、例示の属性に限らず、他のあらゆる属性を入力することができる。
【００９５】
バーコードリーダ１２は、読み取ったバーコード１４が表すデータや入力されたデータをデジタルデータに変換し、それらデータをコンピュータ１３に転送する（キーボード１５やマウス１６からデータを入力した場合、バーコードリーダ１２は、読み取ったバーコード１４が表すデータのみをコンピュータ１３に転送する）。
【００９６】
コンピュータ１３の中央処理部は、バーコードリーダ１２からそれらデータを受け取ると、バーコードが表す番号、テープ１１（ａ）〜１１（ｃ）の色、テープ１１（ａ）〜１１（ｃ）の色彩の濃淡、テープ１１（ａ）〜１１（ｃ）の形、テープ１１（ａ）〜１１（ｃ）の記号、バーコードが表す各属性（名称、材質、放射性物質の汚染レベル、危険性）、入力された原子力発電所２２や中央制御室２３、タービン建屋２４、原子炉建屋２５の建造物属性および壁２６〜２８の構成物属性をディスプレイ１７に表示する。
【００９７】
各データをディスプレイ１７に表示し、それらデータの確認が行われた後、コンピュータ１３の中央処理部は、原子力発電所２２や中央制御室２３、タービン建屋２４、原子炉建屋２５（建造物）を特定する建造物特定識別番号（建造物特定識別子）を生成するとともに、壁２６〜２８（構成物）を特定する構成物特定識別番号（構成物特定識別子）を生成する。
【００９８】
建造物特定識別番号と構成物特定識別番号とを生成した後、コンピュータ１３の中央処理部は、原子力発電所２２を特定する建造物特定識別番号に構成物特定識別番号を関連付け、中央制御室２３、タービン建屋２４、原子炉建屋２５のいずれかを特定する建造物特定識別番号に構成物特定識別番号を関連付けるとともに、バーコードリーダ１２から転送された先頭番号から最後尾番号までの番号データ（たとえば、図１０（ａ）のテープ１１（ａ）の先頭番号が０００１、最後尾番号が００２０の場合、０００１〜００２０までの番号、図１０（ｂ）のテープ１１（ｂ）の先頭番号が００２１、最後尾番号が００４０の場合、００２１〜００４０までの番号、図１０（ｃ）のテープ１１（ｃ）の先頭番号が００４１、最後尾番号が００６０の場合、００４１〜００６０までの番号）を建造物特定識別番号と構成物特定識別番号とに関連付ける。
【００９９】
さらに、転送された建造物属性データを建造物特定識別番号と構成物特定識別番号とに関連付け、転送された構成物属性データを構成物特定識別番号に関連付けるとともに、バーコード１４が表す属性データを構成物特定識別番号に関連付ける。それらの関連づけが完了した後、コンピュータ１３の中央処理部は、建造物特定識別番号、構成物特定識別番号、番号データ、建造物属性データ、壁２６〜２８の構成物属性データ、バーコード１４が表す属性データをハードディスクに格納する（構成物格納手段）。バーコードリーダ１２やコンピュータ１３のディスプレイ１７には、中央制御室２３→壁２６、タービン建屋２４→壁２７、原子炉建屋２５→壁２８のデータ格納完了メッセージが表示される。
【０１００】
各データがコンピュータ１３のハードディスクに格納された後、それら壁２６〜２８の解体作業を行う。解体作業では、図１４（ａ）〜（ｃ）に示すように、壁２６〜２８を細かく解体し、壁２６〜２８を複数個の解体物３５〜３７に分解する。解体された壁２６〜２８の解体物３５〜３７には連番テープ１１（ａ）〜１１（ｃ）が残存しており、それらテープ１１（ａ）〜１１（ｃ）に表示されたバーコード１４が１つの場合、２つの場合、３つの場合等がある。なお、壁２６〜２８のそれら解体物３５〜３７に貼付された連番テープ１１（ａ）〜１１（ｃ）には、少なくとも１つのバーコード１４が読み取り可能に残存している。
【０１０１】
壁２６〜２８を解体した解体物３５〜３７の廃棄処分前や廃棄処分時、廃棄処分後に、図１５（ａ）〜（ｃ）に示すように、バーコードリーダ１２を利用して解体物３５〜３７（壁２６〜２８の解体物３５〜３７）に貼付された連番テープ１１（ａ）〜１１（ｃ）のバーコード１４を読み取ることで、それら解体物３５〜３７が解体される以前の建造物（原子力発電所２２、中央制御室２３、タービン建屋２４、原子炉建屋２５）および構成物（壁２６〜２８）を確認することができるとともに、それら建造物および構成物の属性等を確認することができる。
【０１０２】
解体物３５〜３７の連番テープ１１（ａ）〜１１（ｃ）のバーコード１４を読み取ると、そのバーコード１４が表す番号データがバーコードリーダ１２からコンピュータ１３に転送される。コンピュータ１３の中央処理部は、バーコードリーダ１２から転送された番号データとハードディスクに格納された番号データとを比較し、解体物３５〜３７が壁２６〜２８の解体物３５〜３７であると判断する（構成物特定手段）。
【０１０３】
たとえば、バーコードリーダ１２から転送された番号データが０００７である場合、ハードディスクに格納された番号データと比較し、その解体物３６が中央制御室２３を構成していた壁２６の解体物３６であると判断する。バーコードリーダ１２から転送された番号データが００３５である場合、ハードディスクに格納された番号データと比較し、その解体物３７がタービン建屋２４を構成していた壁２７の解体物３７であると判断する。さらに、バーコードリーダ１２から転送された番号データが００５３である場合、ハードディスクに格納された番号データと比較し、その解体物３８が原子炉建屋２５を構成していた壁２８の解体物３８であると判断する。
【０１０４】
コンピュータ１３の中央処理部は、壁２６〜２８（構成物）の構成物特定識別番号に対応する建造物特定識別番号を特定し、その建造物特定識別番号に対応する原子力発電所２２（建造物）を特定しつつ、中央制御室２３、タービン建屋２４、原子炉建屋２５のいずれかを特定する。さらに、建造物特定識別番号と構成物特定識別番号とに対応する建造物属性データを特定し、構成物特定識別番号に対応する構成物属性データを特定する。
【０１０５】
コンピュータ１３の中央処理部は、中央制御室２３→壁２６やタービン建屋２４→壁２７、原子炉建屋２５→壁２８の別とともに、バーコードが表す番号、テープ１１（ａ）〜１１（ｃ）の色、テープ１１（ａ）〜１１（ｃ）の色彩の濃淡、テープ１１（ａ）〜１１（ｃ）の形、テープ１１（ａ）〜１１（ｃ）の記号、バーコード１４が表す壁２６〜２８の各属性（名称、材質、放射性物質の汚染レベル、危険性）、入力された原子力発電所２２や中央制御室２３、タービン建屋２４、原子炉建屋２５の建造物属性および壁２６〜２８の構成物属性をディスプレイ１７に表示する。ディスプレイ１７に表示された各データは、プリンタから出力することができる。
【０１０６】
図１６は、図１１に示す連番テープ１１（ｄ）〜１１（ｆ）が貼付された柱２９〜３１の斜視図であり、図１７は、各柱２９〜３１の解体作業の一例を示す図である。図１８は、各柱２９〜３１を解体した後の解体物３８〜４０を示す図である。図１６では、中央制御室２３、タービン建屋２４、原子炉建屋２５の各柱２９〜３１にテープ１１（ｄ）〜１１（ｆ）が貼付され、それら連番テープ１１（ｄ）〜１１（ｆ）に表示されたバーコード１４がバーコードリーダ１２によって読み取られている。図１８では、それら柱２９〜３１の解体物３８〜４０を１つだけ示し、それら解体物３８〜４０に貼付された連番テープ１１（ｄ）〜１１（ｆ）のバーコード１４がバーコードリーダ１２によって読み取られている。図１６〜図１８に基づいて柱２９〜３１の解体を説明すると、以下のとおりである。
【０１０７】
解体対象の原子力発電所２２（建造物）の中央制御室２３、タービン建屋２４、原子炉建屋２５（建造物）の各柱２９〜３１に連番テープ１１（ｄ）〜１１（ｆ）を貼付する。具体的には、図１６（ａ）〜（ｃ）に示すように、図１１の（ａ）のテープ１１（ｄ）を中央制御室２３の柱２９の周面にランダムに貼付し、図１１の（ｂ）のテープ１１（ｅ）をタービン建屋２４の柱３０の周面にランダムに貼付するとともに、図１１の（ｃ）のテープ１１（ｆ）を原子炉建屋２５の柱３１の周面にランダムに貼付する。
【０１０８】
それら連番テープ１１（ｄ）〜１１（ｆ）を各柱２９〜３１に貼付した後、テープ１１（ｄ）〜１１（ｆ）に表示されたバーコード１４のうち、先頭に位置するバーコード１４をバーコードリーダ１２によって読み取るとともに、最後尾に位置するバーコード１４をバーコードリーダ１２によって読み取る。さらに、バーコードリーダ１２のテンキーユニットまたはコンピュータ１３のキーボード１５やマウス１６を利用し、原子力発電所２２の名称を入力し、中央制御室、タービン建屋、原子炉建屋（名称）のいずれかを入力するとともに、柱（名称）を入力する（ディスプレイ１７に表示された構成物表示のプルダウンリストから柱を選択することもできる）。
【０１０９】
バーコードリーダ１２のテンキーユニットまたはコンピュータ１３のキーボード１５やマウス１６を利用し、原子力発電所２２の特定情報、中央制御室２３やタービン建屋２４、原子炉建屋２５の特定情報、解体日時、用途、建物容積等を入力するとともに（建造物属性入力）、柱２９〜３１の特定情報（中央制御室２３の中央、原子炉建屋２５の左端等）、解体日時、強度等を入力する（構成物属性入力）。なお、入力可能な柱２９〜３１の属性に特に限定はなく、例示の属性に限らず、他のあらゆる属性を入力することができる。
【０１１０】
バーコードリーダ１２は、読み取ったバーコード１４が表すデータや入力されたデータをコンピュータ１３に転送する。コンピュータ１３の中央処理部は、バーコードリーダ１２からそれらデータを受け取ると、バーコードが表す番号、テープ１１（ｄ）〜１１（ｆ）の色、テープ１１（ｄ）〜１１（ｆ）の色彩の濃淡、テープ１１（ｄ）〜１１（ｆ）の形、テープ１１（ｄ）〜１１（ｆ）の記号、バーコードが表す柱２９〜３１の各属性（名称、材質、放射性物質の汚染レベル、危険性）、入力された原子力発電所２２や中央制御室２３、タービン建屋２４、原子炉建屋２５の建造物属性および柱２９〜３１の構成物属性をディスプレイ１７に表示する。
【０１１１】
各データをディスプレイ１７に表示し、それらデータの確認が行われた後、コンピュータ１３の中央処理部は、柱２９〜３１（構成物）を特定する構成物特定識別番号（構成物特定識別子）を生成する。なお、原子力発電所２２や中央制御室２３、タービン建屋２４、原子炉建屋２５（建造物）を特定する建造物特定識別番号は、壁２６〜２８のデータの格納において生成されたそれらを使用する。
【０１１２】
柱２９〜３１を特定する構成物特定識別番号を生成した後、中央処理部は、原子力発電所２２を特定する建造物特定識別番号に構成物特定識別番号を関連付け、中央制御室２３、タービン建屋２４、原子炉建屋２５のいずれかを特定する建造物特定識別番号に構成物特定識別番号を関連付けるとともに、バーコードリーダ１２から転送された先頭番号から最後尾番号までの番号データ（たとえば、図１１（ａ）のテープ１１（ｄ）の先頭番号が０１００、最後尾番号が０１２０の場合、０１００〜０１２０までの番号、図１１（ｂ）のテープ１１（ｅ）の先頭番号が０１２１、最後尾番号が０１４０の場合、０１２１〜０１４０までの番号、図１１（ｃ）のテープ１１（ｆ）の先頭番号が０１４１、最後尾番号が００１６０の場合、０１４１〜０１６０までの番号）を建造物特定識別番号と構成物特定識別番号とに関連付ける。
【０１１３】
さらに、転送された建造物属性データを建造物特定識別番号と構成物特定識別番号とに関連付け、転送された構成物属性データを構成物特定識別番号に関連付けるとともに、バーコード１４が表す属性データを構成物特定識別番号に関連付ける。それらの関連づけが完了した後、コンピュータ１３の中央処理部は、建造物特定識別番号、構成物特定識別番号、番号データ、建造物属性データ、柱２９〜３１の構成物属性データ、バーコード１４が表す属性データをハードディスクに格納する（構成物格納手段）。バーコードリーダ１２やコンピュータ１３のディスプレイ１７には、中央制御室２３→柱２９、タービン建屋２４→柱３０、原子炉建屋２５→柱３１のデータ格納完了メッセージが表示される。
【０１１４】
各データがコンピュータ１３のハードディスクに格納された後、それら柱２９〜３１の解体作業を行う。解体作業では、図１７（ａ）〜（ｃ）に示すように、柱２９〜３１を細かく解体し、柱２９〜３１を複数個の解体物３８〜４０に分解する。解体された柱２９〜３１の解体物３８〜４０には連番テープ１１（ｄ）〜１１（ｆ）が残存しており、それらテープ１１（ｄ）〜１１（ｆ）に表示されたバーコード１４が１つの場合、２つの場合、３つの場合等がある。なお、柱２９〜３１のそれら解体物３８〜４０に貼付された連番テープ１１（ｄ）〜１１（ｆ）には、少なくとも１つのバーコード１４が読み取り可能に残存している。
【０１１５】
柱２９〜３１を解体した解体物３８〜４０の廃棄処分前や廃棄処分時、廃棄処分後に、図１８（ａ）〜（ｃ）に示すように、バーコードリーダ１２を利用して解体物３８〜４０（柱２９〜３１の解体物３８〜４０）に貼付された連番テープ１１（ｄ）〜１１（ｆ）のバーコード１４を読み取ることで、それら解体物３８〜４０が解体される以前の建造物（原子力発電所２２、中央制御室２３、タービン建屋２４、原子炉建屋２５）および構成物（柱２９〜３１）を確認することができるとともに、それら建造物および構成物の属性等を確認することができる。
【０１１６】
解体物３８〜４０の連番テープ１１（ｄ）〜１１（ｆ）のバーコード１４を読み取ると、そのバーコード１４が表す番号データがバーコードリーダ１２からコンピュータ１３に転送される。コンピュータ１３の中央処理部は、バーコードリーダ１２から転送された番号データとハードディスクに格納された番号データとを比較し、解体物３８〜４０が柱２９〜３１の解体物３８〜４０であると判断する（構成物特定手段）。
【０１１７】
たとえば、バーコードリーダ１２から転送された番号データが０１０９である場合、ハードディスクに格納された番号データと比較し、その解体物３９が中央制御室２３を構成していた柱２９の解体物３９であると判断する。バーコードリーダ１２から転送された番号データが０１２９である場合、ハードディスクに格納された番号データと比較し、その解体物４０がタービン建屋２４を構成していた柱３０の解体物４０であると判断する。さらに、バーコードリーダ１２から転送された番号データが０１４５である場合、ハードディスクに格納された番号データと比較し、その解体物４１が原子炉建屋２５を構成していた柱３１の解体物４１であると判断する。
【０１１８】
コンピュータ１３の中央処理部は、柱２９〜３１（構成物）の構成物特定識別番号に対応する建造物特定識別番号を特定し、その建造物特定識別番号に対応する原子力発電所２２（建造物）を特定しつつ、中央制御室２３、タービン建屋２４、原子炉建屋２５（建造物）を特定する。さらに、建造物特定識別番号と構成物特定識別番号とに対応する建造物属性データを特定し、構成物特定識別番号に対応する構成物属性データを特定する。
【０１１９】
コンピュータ１３の中央処理部は、中央制御室２３→柱２９やタービン建屋２４→柱３０、原子炉建屋２５→柱３１の別とともに、バーコードが表す番号、テープ１１（ｄ）〜１１（ｆ）の色、テープ１１（ｄ）〜１１（ｆ）の色彩の濃淡、テープ１１（ｄ）〜１１（ｆ）の形、テープ１１（ｄ）〜１１（ｆ）の記号、バーコードが表す柱２９〜３１の各属性（名称、材質、放射性物質の汚染レベル、危険性）、入力された原子力発電所２２や中央制御室２３、タービン建屋２４、原子炉建屋２５の建造物属性および柱２９〜３１の構成物属性をディスプレイ１７に表示する。ディスプレイ１７に表示された各データは、プリンタから出力することができる。
【０１２０】
図１９は、図１２に示す連番テープ１１（ｇ）〜１１（ｉ）が貼付された床スラブ３２〜３４の斜視図であり、図２０は、各床スラブ３２〜３４の解体作業の一例を示す図である。図２１は、各床スラブ３２〜３４を解体した後の解体物４１〜４３を示す図である。図１９では、中央制御室２３、タービン建屋２４、原子炉建屋２５の各床スラブ３２〜３４にテープ１１（ｇ）〜１１（ｉ）が貼付され、それら連番テープ１１（ｇ）〜１１（ｉ）に表示されたバーコード１４がバーコードリーダ１２によって読み取られている。図２１では、それら床スラブ３２〜３４の解体物４１〜４３を１つだけ示し、それら解体物４１〜４３に貼付された連番テープ１１（ｇ）〜１１（ｉ）のバーコード１４がバーコードリーダ１２によって読み取られている。図１９〜図２１に基づいて床スラブ３２〜３４の解体を説明すると、以下のとおりである。
【０１２１】
解体対象の原子力発電所２２（建造物）の中央制御室２３、タービン建屋２４、原子炉建屋２５（建造物）の各床スラブ３２〜３４に連番テープ１１（ｇ）〜１１（ｉ）を貼付する。具体的には、図１９（ａ）〜（ｃ）に示すように、図１２の（ａ）のテープ１１（ｇ）を中央制御室２３の床スラブ３２の一面にランダムに貼付し、図１２の（ｂ）のテープ１１（ｈ）をタービン建屋２４の床スラブ３３の一面にランダムに貼付するとともに、図１２の（ｃ）のテープ１１（ｉ）を原子炉建屋２５の床スラブ３４の一面にランダムに貼付する。
【０１２２】
それら連番テープ１１（ｇ）〜１１（ｉ）を各床スラブ３２〜３４に貼付した後、テープ１１（ｇ）〜１１（ｉ）に表示されたバーコード１４のうち、先頭に位置するバーコード１４をバーコードリーダ１２によって読み取るとともに、最後尾に位置するバーコード１４をバーコードリーダ１２によって読み取る。さらに、バーコードリーダ１２のテンキーユニットまたはコンピュータ１３のキーボード１５やマウス１６を利用し、原子力発電所２２の名称を入力し、中央制御室、タービン建屋、原子炉建屋（名称）のいずれかを入力するとともに、床スラブ（名称）を入力する（ディスプレイ１７に表示された構成物表示のプルダウンリストから床スラブを選択することもできる）。
【０１２３】
バーコードリーダ１２のテンキーユニットまたはコンピュータ１３のキーボード１５やマウス１６を利用し、原子力発電所２２の特定情報、中央制御室２３やタービン建屋２４、原子炉建屋２５の特定情報、解体日時、用途、建物容積等を入力するとともに（建造物属性入力）、床スラブ３２〜３４の特定情報（中央制御室２３の廊下、原子炉建屋２５の通路等）、解体日時、強度等を入力する（構成物属性入力）。なお、入力可能な床スラブ３２〜３４の属性に特に限定はなく、例示の属性に限らず、他のあらゆる属性を入力することができる。
【０１２４】
バーコードリーダ１２は、読み取ったバーコード１４が表すデータや入力されたデータをコンピュータ１３に転送する。コンピュータ１３の中央処理部は、バーコードリーダ１２からそれらデータを受け取ると、バーコードが表す番号、テープ１１（ｇ）〜１１（ｉ）の色、テープ１１（ｇ）〜１１（ｉ）の色彩の濃淡、テープ１１（ｇ）〜１１（ｉ）の形、テープ１１（ｇ）〜１１（ｉ）の記号、バーコードが表す床スラブ３２〜３４の各属性（名称、材質、放射性物質の汚染レベル、危険性）、入力された原子力発電所２２や中央制御室２３、タービン建屋２４、原子炉建屋２５の建造物属性および床スラブ３２〜３４の構成物属性をディスプレイ１７に表示する。
【０１２５】
各データをディスプレイ１７に表示し、それらデータの確認が行われた後、コンピュータ１３の中央処理部は、床スラブ３２〜３４（構成物）を特定する構成物特定識別番号（構成物特定識別子）を生成する。なお、原子力発電所２２や中央制御室２３、タービン建屋２４、原子炉建屋２５（建造物）を特定する建造物特定識別番号は、壁２６〜２８のデータの格納において生成されたそれらを使用する。
【０１２６】
床スラブ３２〜３４を特定する構成物特定識別番号を生成した後、中央処理部は、原子力発電所２２を特定する建造物特定識別番号に構成物特定識別番号を関連付け、中央制御室２３、タービン建屋２４、原子炉建屋２５のいずれかを特定する建造物特定識別番号に構成物特定識別番号を関連付けるとともに、バーコードリーダ１２から転送された先頭番号から最後尾番号までの番号データ（たとえば、図１２（ａ）のテープ１１（ｇ）の先頭番号が０２００、最後尾番号が０２３０の場合、０２００〜０２３０までの番号、図１２（ｂ）のテープ１１（ｈ）の先頭番号が０２３１、最後尾番号が０２６０の場合、０２３１〜０２６０までの番号、図１２（ｃ）のテープ１１（ｉ）の先頭番号が０２６１、最後尾番号が０２９０の場合、０２６１〜０２９０までの番号）を建造物特定識別番号と構成物特定識別番号とに関連付ける。
【０１２７】
さらに、転送された建造物属性データを建造物特定識別番号と構成物特定識別番号とに関連付け、転送された構成物属性データを構成物特定識別番号に関連付けるとともに、バーコード１４が表す属性データを構成物特定識別番号に関連付ける。それらの関連づけが完了した後、コンピュータ１３の中央処理部は、建造物特定識別番号、構成物特定識別番号、番号データ、建造物属性データ、床スラブ３２〜３４の構成物属性データ、バーコード１４が表す属性データをハードディスクに格納する（構成物格納手段）。バーコードリーダ１２やコンピュータ１３のディスプレイ１７には、中央制御室２３→床スラブ３２、タービン建屋２４→床スラブ３３、原子炉建屋２５→床スラブ３４のデータ格納完了メッセージが表示される。
【０１２８】
各データがコンピュータ１３のハードディスクに格納された後、それら床スラブ３２〜３４の解体作業を行う。解体作業では、図２０（ａ）〜（ｃ）に示すように、床スラブ３２〜３４を細かく解体し、床スラブ３２〜３４を複数個の解体物４１〜４３に分解する。解体された床スラブ３２〜３４の解体物４１〜４３には連番テープ１１（ｇ）〜１１（ｉ）が残存しており、それらテープ１１（ｇ）〜１１（ｉ）に表示されたバーコード１４が１つの場合、２つの場合、３つの場合等がある。なお、床スラブ３２〜３４のそれら解体物４１〜４３に貼付された連番テープ１１（ｇ）〜１１（ｉ）には、少なくとも１つのバーコード１４が読み取り可能に残存している。
【０１２９】
床スラブ３２〜３４を解体した解体物４１〜４３の廃棄処分前や廃棄処分時、廃棄処分後に、図２１（ａ）〜（ｃ）に示すように、バーコードリーダ１２を利用して解体物４１〜４３（床スラブ３２〜３４の解体物４１〜４３）に貼付された連番テープ１１（ｇ）〜１１（ｉ）のバーコード１４を読み取ることで、その解体物４１〜４３が解体される以前の建造物（原子力発電所２２、中央制御室２３、タービン建屋２４、原子炉建屋２５）および構成物（床スラブ３２〜３４）を確認することができるとともに、それら建造物およびその構成物の属性等を確認することができる。
【０１３０】
解体物４１〜４３の連番テープ１１（ｇ）〜１１（ｉ）のバーコード１４を読み取ると、そのバーコード１４が表す番号データがバーコードリーダ１２からコンピュータ１３に転送される。コンピュータ１３の中央処理部は、バーコードリーダ１２から転送された番号データとハードディスクに格納された番号データとを比較し、解体物４１〜４３が床スラブ３２〜３４の解体物４１〜４３であると判断する（構成物特定手段）。
【０１３１】
たとえば、バーコードリーダ１２から転送された番号データが０２２７である場合、ハードディスクに格納された番号データと比較し、その解体物４２が中央制御室２３を構成していた床スラブ３２の解体物４２であると判断する。バーコードリーダ１２から転送された番号データが０２５１である場合、ハードディスクに格納された番号データと比較し、その解体物４３がタービン建屋２４を構成していた床スラブ３３の解体物４３であると判断する。さらに、バーコードリーダ１２から転送された番号データが０２７８である場合、ハードディスクに格納された番号データと比較し、その解体物４４が原子炉建屋２５を構成していた床スラブ３４の解体物４４であると判断する。
【０１３２】
コンピュータ１３の中央処理部は、床スラブ３２〜３４（構成物）の構成物特定識別番号に対応する建造物特定識別番号を特定し、その建造物特定識別番号に対応する原子力発電所２２（建造物）を特定しつつ、構成物特定識別番号から中央制御室２３、タービン建屋２４、原子炉建屋２５（建造物）を特定する。さらに、建造物特定識別番号と構成物特定識別番号とに対応する建造物属性データを特定し、構成物特定識別番号に対応する構成物属性データを特定する。
【０１３３】
コンピュータ１３の中央処理部は、中央制御室２３→床スラブ３２やタービン建屋２４→床スラブ３３、原子炉建屋２５→床スラブ３４の別とともに、バーコードが表す番号、テープ１１（ｇ）〜１１（ｉ）の色、テープ１１（ｇ）〜１１（ｉ）の色彩の濃淡、テープ１１（ｇ）〜１１（ｉ）の形、テープ１１（ｇ）〜１１（ｉ）の記号、バーコードが表す床スラブ３２〜３４の各属性（名称、材質、放射性物質の汚染レベル、危険性）、入力された原子力発電所２２や中央制御室２３、タービン建屋２４、原子炉建屋２５の建造物属性および床スラブ３２〜３４の構成物属性をディスプレイ１７に表示する。ディスプレイ１７に表示された各データは、プリンタから出力することができる。
【０１３４】
解体物管理システム１０は、連番テープ１１（ａ）〜１１（ｉ）に表示されたバーコード１４を利用することで、解体物３５〜４３が属する原子力発電所２２の中央制御室２３やタービン建屋２４、原子炉建屋２５を構成する壁２６〜２８、柱２９〜３１、床スラブ３２〜３４等の構成物を各解体物３５〜４３毎に特定することができ、壁２６〜２８や柱２９〜３１、床スラブ３２〜３４の解体後に各解体物３５〜４３が属していた原子力発電所２２の構成物（壁２６〜２８、柱２９〜３１、床スラブ３２〜３４）を追跡かつ把握することができる。
【０１３５】
解体物管理システム１０は、原子力発電所２２の中央制御室２３やタービン建屋２４、原子炉建屋２５を構成する壁２６〜２８、柱２９〜３１、床スラブ３２〜３４が細かく解体されて複数の解体物３５〜４３が発生したとしても、それら解体物３５〜４３に貼付された連番テープ１１（ａ）〜１１（ｉ）のバーコード１４を介してそれら解体物３５〜４３の解体前の構成物（壁２６〜２８、柱２９〜３１、床スラブ３２〜３４）を確実に特定することができる。解体物管理システム１０は、連番テープ１１（ａ）〜１１（ｉ）のバーコード１４を利用してそれら解体物３５〜４３の解体前の構成物（壁２６〜２８、柱２９〜３１、床スラブ３２〜３４）を確実に特定することができるから、ある原子力発電所２２の中央制御室２３やタービン建屋２４、原子炉建屋２５の壁２６〜２８、柱２９〜３１、床スラブ３２〜３４を解体した解体物３５〜４３がその原子力発電所２２の構成物の解体物群からはぐれたり、ある原子力発電所２２の中央制御室２３やタービン建屋２４、原子炉建屋２５の壁２６〜２８、柱２９〜３１、床スラブ３２〜３４を解体した解体物３５〜４３が他の原子力関連施設の構成物の解体物として紛れ込んだとしても、壁２６〜２８、柱２９〜３１、床スラブ３２〜３４の解体前の原子力発電所２２の構成物（壁２６〜２８、柱２９〜３１、床スラブ３２〜３４）を明らかにすることができ、解体物３５〜４３の帰属不明を防ぐことができる。
【０１３６】
解体物管理システム１０は、原子力発電所２２や中央制御室２３、タービン建屋２４、原子炉建屋２５の各種属性が建造物特定識別番号と構成物特定識別番号とに関連付けられた状態でコンピュータ１３に格納され、壁２６〜２８や柱２９〜３１、床スラブ３２〜３４の各種属性が構成物特定識別番号に関連付けられた状態でコンピュータ１３に格納されているから、壁２６〜２８や柱２９〜３１、床スラブ３２〜３４の解体後であっても解体物３５〜４３が属する建造物や構成物の属性を各解体物３５〜４３毎に把握することができ、解体物３５〜４３を各建造物毎であって属性毎に区分して管理することができるとともに、解体物３５〜４３を各構成物毎であって属性毎に区分して管理することができる。
【０１３７】
原子力発電所２２の中央制御室２３やタービン建屋２４、原子炉建屋２５における解体作業では、放射能汚染を厳格に防ぐ目的から、壁２６〜２８や柱２９〜３１、床スラブ３２〜３４等の構成物の属性が解体後に追跡可能かつ把握可能であることが要求され、解体後のそれら解体物３５〜４３が属する構成物の属性が追跡可能かつ把握可能であることが要求されるとともに、解体後のそれら解体物３５〜４３の属性毎の管理が要求されるが、この解体物管理システム１０は、原子力発電所２２の中央制御室２３やタービン建屋２４、原子炉建屋２５の解体に要求されるそのような条件を満足させることができる。
【符号の説明】
【０１３８】
１０    解体物管理システム
１１    連番テープ
１１（ａ）〜１１（ｉ）  連番テープ
１２    バーコードリーダ（識別コードリーダ）
１３    コンピュータ
１４    バーコード（識別コード）
１８    壁（構成物）
１９    柱（構成物）
２０    解体物
２１    解体物
２２    原子力発電所（建造物）
２３    中央制御室（建造物）
２４    タービン建屋（建造物）
２５    原子力建屋（建造物）
２６    壁（構成物）
２７    壁（構成物）
２８    壁（構成物）
２９    柱（構成物）
３０    柱（構成物）
３１    柱（構成物）
３２    床スラブ（構成物）
３３    床スラブ（構成物）
３４    床スラブ（構成物）
３５〜３７  解体物（壁）
３８〜４０  解体物（柱）
４１〜４３  解体物（床スラブ）
【図１】
0005693908.tif 000002
【図２】
0005693908.tif 000003
【図３】
0005693908.tif 000004
【図４】
0005693908.tif 000005
【図５】
0005693908.tif 000006
【図６】
0005693908.tif 000007
【図７】
0005693908.tif 000008
【図８】
0005693908.tif 000009
【図９】
0005693908.tif 000010
【図１０】
0005693908.tif 000011
【図１１】
0005693908.tif 000012
【図１２】
0005693908.tif 000013
【図１３】
0005693908.tif 000014
【図１４】
0005693908.tif 000015
【図１５】
0005693908.tif 000016
【図１６】
0005693908.tif 000017
【図１７】
0005693908.tif 000018
【図１８】
0005693908.tif 000019
【図１９】
0005693908.tif 000020
【図２０】
0005693908.tif 000021
【図２１】
0005693908.tif 000022